【手続補正書】
【提出日】平成25年8月20日(2013.8.20)
【手続補正１】
【補正対象書類名】明細書
【補正対象項目名】発明の名称
【補正方法】変更
【補正の内容】
【発明の名称】通信装置、通信装置の制御方法、及びプログラム
【手続補正２】
【補正対象書類名】明細書
【補正対象項目名】０００１
【補正方法】変更
【補正の内容】
【０００１】
本発明は、通信装置、通信装置の制御方法、及びプログラムに関し、特にＳＩＰを用いて通信を行う通信装置、通信装置の制御方法、及びプログラムに関する。
【手続補正３】
【補正対象書類名】明細書
【補正対象項目名】０００８
【補正方法】変更
【補正の内容】
【０００８】
本発明の目的は、不要なメディアセッションを排除したＳＩＰセッションを確立することができる通信装置、通信装置の制御方法、及びプログラムを提供することにある。
【手続補正４】
【補正対象書類名】明細書
【補正対象項目名】０００９
【補正方法】変更
【補正の内容】
【０００９】
上記目的を達成するために、請求項１記載の通信装置は、他の通信装置に対して、メディア種別が記述された情報を送信する送信手段と、前記送信手段が送信した情報に基づき前記他の通信装置との間で確立されたメディアセッションを用いてデータ通信を実行するデータ通信手段と、前記送信手段により前記複数のメディア種別が記述された情報を送信した場合に、前記他の通信装置との間で確立されたメディアセッションの数を判定する判定手段と、前記確立されたメディアセッションが複数である場合は、前記複数のメディア種別のうち１つのメディア種別が記述され且つ他のメディア種別が記述されていない情報を送信するよう前記送信手段を制御し、前記確立されたメディアセッションが１つである場合は、当該確立されたメディアセッションを用いてデータ通信を実行するよう前記データ通信手段を制御する制御手段と、を備えることを特徴とする。
【手続補正５】
【補正対象書類名】明細書
【補正対象項目名】００１０
【補正方法】変更
【補正の内容】
【００１０】
本発明によれば、不要なメディアセッションを排除したＳＩＰセッションを確立することができる。
【手続補正６】
【補正対象書類名】特許請求の範囲
【補正対象項目名】全文
【補正方法】変更
【補正の内容】
【特許請求の範囲】
【請求項１】
他の通信装置に対して、メディア種別が記述された情報を送信する送信手段と、
前記送信手段が送信した情報に基づき前記他の通信装置との間で確立されたメディアセッションを用いてデータ通信を実行するデータ通信手段と、
前記送信手段により前記複数のメディア種別が記述された情報を送信した場合に、前記他の通信装置との間で確立されたメディアセッションの数を判定する判定手段と、
前記確立されたメディアセッションが複数である場合は、前記複数のメディア種別のうち１つのメディア種別が記述され且つ他のメディア種別が記述されていない情報を送信するよう前記送信手段を制御し、前記確立されたメディアセッションが１つである場合は、当該確立されたメディアセッションを用いてデータ通信を実行するよう前記データ通信手段を制御する制御手段と、
を備えることを特徴とする通信装置。
【請求項２】
前記メディア種別は、ＳＤＰ（Session Description Protocol）に基づいて記述されることを特徴とする請求項１記載の通信装置。
【請求項３】
前記複数のメディア種別は、「Application」及び「Image」を含むことを特徴とする請求項１又は２記載の通信装置。
【請求項４】
前記制御手段は、前記確立されたメディアセッションが複数である場合に、「Application」が記述され且つ「Image」が記述されていない情報を送信するよう前記送信手段を制御することを特徴とする請求項３記載の通信装置。
【請求項５】
前記送信手段は、ＳＩＰ（Session Initiation Protocol）に従ったＩＮＶＩＴＥメッセージに前記情報を含めて送信することを特徴とする請求項１乃至４いずれか１項に記載の通信装置。
【請求項６】
前記制御手段は、前記確立されたメディアセッションが複数である場合に、前記複数のメディア種別のうち１つのメディア種別が記述され且つ他のメディア種別が記述されていない情報をＲＥ−ＩＮＶＩＴＥメッセージに含めて送信するよう前記送信手段を制御することを特徴とする請求項５記載の通信装置。
【請求項７】
前記制御手段は、前記確立されたメディアセッションが複数である場合に、前記他の通信装置との間で確立されたＳＩＰ（Session Initiation Protocol）セッションを破棄した後、前記複数のメディア種別のうち１つのメディア種別が記述され且つ他のメディア種別が記述されていない情報をＩＮＶＩＴＥメッセージに含めて送信するよう前記送信手段を制御することを特徴とする請求項５記載の通信装置。
【請求項８】
前記送信手段は、ＳＩＰ（Session Initiation Protocol）に従ったＩＮＶＩＴＥメッセージに対する応答として前記情報を送信することを特徴とする請求項１乃至４いずれか１項に記載の通信装置。
【請求項９】
前記送信手段は、前記ＩＮＶＩＴＥメッセージにメディア種別が記述された情報が含まれていない場合に、当該ＩＮＶＩＴＥメッセージに対する応答として前記情報を送信することを特徴とする請求項８記載の通信装置。
【請求項１０】
前記制御手段は、前記確立されたメディアセッションが複数である場合に、前記複数のメディア種別のうち１つのメディア種別が記述され且つ他のメディア種別が記述されていない情報をＲＥ−ＩＮＶＩＴＥメッセージに含めて送信するよう前記送信手段を制御することを特徴とする請求項９記載の通信装置。
【請求項１１】
他の通信装置に対して、メディア種別が記述された情報を送信する送信工程と、
前記送信工程で送信した情報に基づき前記他の通信装置との間で確立されたメディアセッションを用いてデータ通信を実行するデータ通信工程と、
前記送信工程で前記複数のメディア種別が記述された情報を送信した場合に、前記他の通信装置との間で確立されたメディアセッションの数を判定する判定工程と、
前記確立されたメディアセッションが複数である場合は、前記複数のメディア種別のうち１つのメディア種別が記述され且つ他のメディア種別が記述されていない情報を送信するよう制御し、前記確立されたメディアセッションが１つである場合は、当該確立されたメディアセッションを用いてデータ通信を実行するよう制御する制御工程と、
を備えることを特徴とする通信装置の制御方法。
【請求項１２】
通信装置の制御方法をコンピュータに実行させるプログラムであって、
前記通信装置の制御方法は、
他の通信装置に対して、メディア種別が記述された情報を送信する送信工程と、
前記送信工程で送信した情報に基づき前記他の通信装置との間で確立されたメディアセッションを用いてデータ通信を実行するデータ通信工程と、
前記送信工程で前記複数のメディア種別が記述された情報を送信した場合に、前記他の通信装置との間で確立されたメディアセッションの数を判定する判定工程と、
前記確立されたメディアセッションが複数である場合は、前記複数のメディア種別のうち１つのメディア種別が記述され且つ他のメディア種別が記述されていない情報を送信するよう制御し、前記確立されたメディアセッションが１つである場合は、当該確立されたメディアセッションを用いてデータ通信を実行するよう制御する制御工程と、
を備えることを特徴とするプログラム。